(57)【特許請求の範囲】
【請求項１】
既定の口腔ケア処置サイクル用の口腔ケアキットであって、
上部、下部、前部、後部、第１の側部及び第２の側部を有する実質的に矩形の箱体と、
前記前部を上側前部及び下側前部に二分割するための前記前部の長さに沿って形成されたミシン目と、
前記第１の側部を第１の上側側部及び第１の下側側部に二分割するための前記第１の側部の長さに沿って形成されたミシン目と、
前記第２の側部を第２の上側側部及び第２の下側側部に二分割するための前記第２の側部の長さに沿って形成されたミシン目と、
前記下側前部の長さに沿って互いに平行に配置され、前記下側前部及び前記後部と協同して複数のウエルを画定する、複数の垂直に配向された内部間仕切りと、
複数の種類からなり各々が個別に包装され使用順に前記各ウエルに配置される、口腔ケアの種類に応じた前記既定の口腔ケア処理サイクルに必要なパック数に対応する複数の口腔ケアパックとを含み、
前記複数の口腔ケアパックは、各々が前記口腔ケアパックの種類に応じた固有の色を表示し、前記箱体は、対応する前記口腔ケアパックの位置に前記固有の色を表示すると共に対応する前記口腔ケアパックの前記口腔ケア処理サイクルにおける使用予定時間に対応する表示をし、
前記既定の口腔ケア処理サイクルは、開始から２４時間で終了し、
前記口腔ケア処理サイクルの開始からの前記複数の口腔ケアパックの使用予定時間は、前記口腔ケアパックの種類に応じて異なることを特徴とするキット。
【請求項２】
既定の口腔ケア処置サイクル用の口腔ケアキットであって、
上部、下部、前部、後部、第１の側部及び第２の側部を有する実質的に矩形の箱体と、
前記前部を上側前部及び下側前部に二分割するための前記前部の長さに沿って形成されたミシン目と、
前記第１の側部を第１の上側側部及び第１の下側側部に二分割するための前記第１の側部の長さに沿って形成されたミシン目と、
前記第２の側部を第２の上側側部及び第２の下側側部に二分割するための前記第２の側部の長さに沿って形成されたミシン目と、
複数の種類からなり各々が個別に包装され使用順に前記実質的に矩形の箱体内に収容される、口腔ケアの種類に応じた前記既定の口腔ケア処置サイクルに必要なパック数に対応する複数の口腔ケアパックとを含み、
前記複数の口腔ケアパックは、各々が前記口腔ケアパックの種類に応じた固有の色を表示し、前記箱体は、対応する前記口腔ケアパックの位置に前記固有の色を表示すると共に対応する前記口腔ケアパックの前記口腔ケア処理サイクルにおける使用予定時間に対応する表示をし、
前記既定の口腔ケア処理サイクルは、開始から２４時間で終了し、
前記口腔ケア処理サイクルの開始からの前記複数の口腔ケアパックの使用予定時間は、前記口腔ケアパックの種類に応じて異なることを特徴とするキット。
【請求項３】
既定の口腔ケア処置サイクル用の口腔ケアキットを提供する方法であって、
上部、下部、前部、後部、第１の側部、第２の側部、前記前部を上側前部及び下側前部に二分割するための前記前部の長さに沿って形成されたミシン目、前記第１の側部を第１の上側側部及び第１の下側側部に二分割するための前記第１の側部の長さに沿って形成されたミシン目及び、前記第２の側部を第２の上側側部及び第２の下側側部に二分割するための前記第２の側部の長さに沿って形成されたミシン目を有する実質的に矩形の箱体を提供するステップと、
複数の種類からなり各々が個別に包装され使用順に前記実質的に矩形の箱体内に収容される、口腔ケアの種類に応じた前記既定の口腔ケア処置サイクルに必要なパック数に対応する複数の口腔ケアパックを提供するステップとを含み、
前記複数の口腔ケアパックは、各々が前記口腔ケアパックの種類に応じた固有の色を表示し、前記箱体は、対応する前記口腔ケアパックの位置に前記固有の色を表示すると共に対応する前記口腔ケアパックの前記口腔ケア処理サイクルにおける使用予定時間に対応する表示をし、
前記既定の口腔ケア処理サイクルは、開始から２４時間で終了し、
前記口腔ケア処理サイクルの開始からの前記複数の口腔ケアパックの使用予定時間は、前記口腔ケアパックの種類に応じて異なることを特徴とする方法。
【請求項４】
請求項１に記載の口腔ケアキットであって、
前記複数のウエルに対応する複数の色を、前記実質的に矩形の箱体の前部に表示したことを特徴とするキット。
【請求項５】
請求項４に記載の口腔ケアキットであって、
前記各ウエル内に配置される前記複数の口腔ケアパックに、前記実質的に矩形の箱体の前部におけるその口腔ケアパックが配置されているウエルと互いに平行な部分に表示されている色に対応する色を表示したことを特徴とするキット。
【請求項６】
請求項１または２に記載の口腔ケアキットであって、
前記後部に取付手段を設けたことを特徴とするキット。
【請求項７】
請求項６に記載の口腔ケアキットであって、
前記取付手段が、フック、ループ、接着剤、またはそれらの組み合わせであることを特徴とするキット。
【請求項８】
請求項１または２に記載の口腔ケアキットであって、
前記複数の口腔ケアパックが、歯ブラシパック、カテーテルパック、過酸化水素を含む吸引スワブパック、ノンアルコール口腔洗浄液を含む吸引スワブパック、またはそれらの組み合わせであることを特徴とするキット。
【請求項９】
請求項８に記載の口腔ケアキットであって、
前記複数の口腔ケアパックが、１以上の処置パックをさらに含むことを特徴とするキット。
【請求項１０】
請求項９に記載の口腔ケアキットであって、
前記１以上の処置パックは、前記複数の口腔ケアパックの少なくとも一部と関係しており、かつ、実質的に矩形の処置パックホルダを使用して前記口腔ケアキット内に配置されるように構成されていることを特徴とするキット。
【請求項１１】
請求項１０に記載の口腔ケアキットであって、
前記処置パック、前記歯ブラシパック、前記カテーテルパック、前記過酸化水素を含む吸引スワブパック及び前記ノンアルコール口腔洗浄液を含む吸引スワブパックのパック数の比率が１：２：２：４：６であることを特徴とするキット。
【請求項１２】
請求項１１に記載の口腔ケアキットであって、
前記歯ブラシパック、前記カテーテルパック、前記過酸化水素を含む吸引スワブパック及び前記ノンアルコール口腔洗浄液を含む吸引スワブパックの各々が、２４時間で１度しか使用されないように構成されていることを特徴とするキット。
【請求項１３】
請求項２に記載の口腔ケアキットであって、
前記複数の口腔ケアパックが、歯ブラシパック、カテーテルパック、過酸化水素を含む吸引スワブパック、ノンアルコール口腔洗浄液を含む吸引スワブパック、またはそれらの組み合わせを含むことを特徴とするキット。
【請求項１４】
請求項１３に記載の口腔ケアキットであって、
前記固有の色は前記実質的に矩形の箱体の前部にも表示されていることを特徴とするキット。
【請求項１５】
請求項１３に記載の口腔ケアキットであって、
前記各口腔ケアパックは、前記実質的に矩形の箱体内に垂直に配向され、かつ使用順に並べられており、
前記各口腔ケアパックに表示されている色に対応する色付きの数字が、前記実質的に矩形の箱体の前記後部に、対応する口腔ケアパックと実質的に互いに平行になるように表示されていることを特徴とするキット。
【発明の詳細な説明】
【技術分野】
【０００１】
本発明は、口腔ケア用キットに関する。
【背景技術】
【０００２】
様々な医療処置では、人工的な気道を確保するために、患者への挿管を必要とする。気管内チューブは一般的に効果的だが、その使用中に、チューブの上部に分泌物が蓄積したり、分泌物が気管内チューブカフのひだを通過して肺に入ったりする危険性がある。そのような分泌物は細菌を増殖させ、人工呼吸器関連肺炎（ＶＡＰ）などの医療関連感染を引き起こすおそれがある。
【０００３】
ＶＡＰは、医療関連感染における死因の第１位である。これに関して、ある研究では、ＶＡＰを発症した人工呼吸器装着患者の院内死亡率は４６パーセントであることが示されている。また、他の研究では、ＶＡＰが、病院の集中治療室における全ての死因の７〜８％に関与していることが示されている。
【０００４】
幸いなことに、口内すなわち口腔内の有害な分泌物を除去または中和するための様々なデバイスが開発されている。そのようなデバイスは、プラーク（歯垢）の除去及び口腔内の唾液の分泌の促進を図ることによって細菌の増殖を抑制する。
【０００５】
しかし、これらのデバイスの多くは、使用頻度が低かったり、間違った手順で使用されたりしている。そのような不適切な使用は、口腔ケアの効果を著しく減少させ、患者がＶＡＰを発症する可能性を増加させる。さらに、これらのデバイスの多くは、引き出しや収容体の中に保管されるため、デバイスの喪失、デバイスの汚染、デバイスによる患者の治療の遅延をもたらす。
【０００６】
したがって、当該技術分野では、頻繁な口腔ケアを推進し、かつ、様々な口腔ケア用デバイスを有害な分泌物を除去及び／または処理するための最も効果的な順番で使用することができる経済的なキットが依然として必要とされている。
【先行技術文献】
【特許文献】
【０００７】
【特許文献１】米国特許出願公開第2008/0145815号明細書
【特許文献２】米国特許出願第11/901,119号明細書
【発明の概要】
【課題を解決するための手段】
【０００８】
本発明は、規定の口腔ケア処置サイクル（望ましくは２４時間サイクル）のための口腔ケアキットを提供する。この口腔ケアキットは、実質的に矩形の箱体を含む。前記箱体は、上部、下部、前部、後部、第１の側部、及び第２の側部を有する。口腔ケアキットはまた、前部の長さに沿って形成された、前部を上側前部及び下側前部に二分割するためのミシン目を含む。口腔ケアキットは、第１の側部の長さに沿って形成された、第１の側部を上側側部及び下側側部に二分割するためのミシン目と、第２の側部の長さに沿って形成された、第２の側部を上側側部及び下側側部に二分割するためのミシン目とをさらに含む。また、口腔ケアキットは、口腔ケアキットの下側前部の長さ沿って互いに平行に配置された、複数の垂直に配向された内部間仕切りを含む。垂直に配向された内部間仕切りは、口腔ケアキットの下部及び後部と協同して複数のウエルを画定する。複数の口腔ケアパックは、個々のウエル内に配置される。複数の口腔ケアパックは、前記規定の口腔ケアキット処置サイクルに必要なパック数及びパックの組み合わせに対応している。
【０００９】
前記口腔ケアキットは、複数の色をさらに含み得る。複数の色は、複数のウエルに対応しており、実質的に矩形の箱体の前部に表示される。すなわち、各ウエル内に配置された複数の口腔ケアパックには、実質的に矩形の箱体の前部における前記ウエルと互いに平行な部分（各ウエルに対応する位置）に表示されている色に対応する色が表示される。
【００１０】
さらに、口腔ケアキットは、後部に設けた取付手段を含み得る。取付手段は、望ましくは、フック、ループ、接着剤、またはそれらの組み合わせであり得る。
【００１１】
各ウエル内に配置された複数の口腔ケアパックには、歯ブラシパック、カテーテルパック、過酸化水素を含む吸引スワブパック、ノンアルコール口腔洗浄液を含む吸引スワブパック、またはそれらの組み合わせが含まれる。さらに、１以上の処置パックは、複数の口腔ケアパックの少なくとも一部と関係している。処置パックは、実質的に矩形の処置パックホルダを使用して、前記口腔ケアキット内に配置される。
【００１２】
口腔ケアキットは、歯ブラシパック、カテーテルパック、過酸化水素を含む吸引スワブパック、及びノンアルコール口腔洗浄液を含む吸引スワブパックの各々が２４時間で１度しか使用されないように構成されることが望ましい。また、口腔ケアキットは、処置パック、歯ブラシパック、カテーテルパック、過酸化水素を含む吸引スワブパック、及びノンアルコール口腔洗浄液を含む吸引スワブパックの比率が１：２：２：４：６となるように構成されることが望ましい。
【００１３】
本発明の他の態様は、規定の口腔ケア処置サイクル用の口腔ケアキットに関する。この口腔ケアキットは、実質的に矩形の箱体を含む。前記箱体は、上部、下部、前部、後部、第１の側部、及び第２の側部を有する。口腔ケアキットはまた、前部の長さに沿って形成された、前部を上側前部及び下側前部に二分割するためのミシン目を含む。口腔ケアキットは、第１の側部の長さに沿って形成された、第１の側部を上側側部及び下側側部に二分割するためのミシン目と、第２の側部の長さに沿って形成された、第２の側部を上側側部及び下側側部に二分割するためのミシン目とをさらに含む。口腔ケアキットは、前記実質的に矩形の箱体内に収容される、複数の口腔ケアパックをさらに含む。この複数のパックは、垂直に配向されており、使用順に並べられており、かつ、規定の口腔ケアキット処置サイクルに必要なパック数及びパックの組み合わせに対応している。
【００１４】
本発明の別の態様は、規定の口腔ケア処置サイクル用の口腔ケアキットを提供する方法に関する。この方法は、実質的に矩形の箱体を提供するステップを含む。前記箱体は、上部、下部、前部、後部、第１の側部、及び第２の側部を有する。前記箱体は、前部の長さに沿って形成された、前部を上側前部及び下側前部に二分割するためのミシン目をさらに有する。前記箱体はまた、第１の側部の長さに沿って形成された、第１の側部を上側側部及び下側側部に二分割するためのミシン目と、第２の側部の長さに沿って形成された、第２の側部を上側側部及び下側側部に二分割するためのミシン目とをさらに有する。この方法は、前記実質的に矩形の箱体内に収容される口腔ケアパックを提供するステップをさらに含む。前記複数のパックは、垂直に配向されており、使用順に並べられており、かつ、規定の口腔ケアキット処置サイクルに必要なパック数及びパックの組み合わせに対応している。
【図面の簡単な説明】
【００１５】
【図１】二分割された前部及び側部を有する口腔ケアキットを示す斜視図である。
【図２】処置パックを口腔ケアキット内に配置するための処置パックホルダを示す図である。
【図３】口腔ケアキット内に処置パックを設置した様子を示す斜視図である。
【図４】口腔ケアパックが使用順に並べられた様子を示す斜視図である。
【発明を実施するための形態】
【００１６】
本発明は、患者のケアを容易にし、かつ、人工呼吸器関連肺炎（ＶＡＰ）などの医療関連感染症を防止するための口腔ケアキットを提供する。そのようなキットには、適時の、正確なかつ効果的な口腔ケア洗浄を促進するためにキット内に配置された口腔ケアパックが含まれる。
【００１７】
いくつかの実施形態を示す以下の説明及び図面を参照して本発明を説明する。これらの実施形態は本発明の全範囲を表すものではなく、本発明が添付された請求の範囲に含まれ得る様々な形態及び均等物によって幅広く適用可能であることは、当業者には明らかであろう。さらに、ある実施形態の一部として説明または図示された要素は、他の実施形態に使用されることによりさらなる実施形態を生成し得る。請求の範囲は、それらの全ての変形例及び実施形態に及ぶことを意図している。
【００１８】
図１を参照して、口腔ケアキット１０が提供される。口腔ケアキットは、実質的に矩形の箱体を含む。前記箱体は、上部２０、下部３０、前部４０、後部５０、第１の側部６０、及び第２の側部７０を有する。口腔ケアキットは、前部４０の長さに沿って形成された、前部４０を上側前部９０及び下側前部１００に二分割するためのミシン目（切り取り線）８０と、第１の側部６０の長さに沿って形成された、第１の側部６０を上側側部１１０及び下側側部１２０に二分割するためのミシン目と、第２の側部７０の長さに沿って形成された、第２の側部７０を上側側部１３０及び下側側部１４０に二分割するためのミシン目とを有する。また、口腔ケアキットは、口腔ケアキットの下側前部１００の長さに沿って互いに平行に配置された、複数の垂直に配向された内部間仕切り１５０を含む。このような垂直に配向された間仕切り１５０は、口腔ケアキットの下側前部１００及び後部５０と協同して複数のウエルを画定する。
【００１９】
口腔ケアキットは、パッケージング（収容体）としての役割を果たすための十分な剛性を有するように、当該技術分野で既知の任意の従来のパッケージング材料から作製され得る。前記材料には、これらに限定されるものではないが、繊維板、紙、プラスチック、複合材料などが含まれる。
【００２０】
図１に戻り、口腔ケアキットは、個々のウエル内に配置される複数の口腔ケアパック１７０をさらに含む。口腔ケアパック１７０は、規定の口腔ケア処置サイクル（周期）で用いるための口腔ケアデバイスを収容するように構成されている。
【００２１】
個々の口腔ケアパックは、柔軟な容器を製造する分野で既知の任意の方法によって製造され得る。そのような方法には、これらに限定されるものではないが、押出成型法、射出成形法、ブロー成形法及び熱成形法が含まれる。熱成形法を用いる場合、口腔ケアパックは、従来の熱成形装置や従来の熱成形方法を用いて作製される。熱成形法では、一般的に、まず、柔軟性材料（望ましくはプラスチック）のシートを、該シートが効率的に成形可能な状態となる温度まで加熱する。続いて、加熱されたプラスチックシートを、口腔ケアパックの所望の構造に適合するキャビティを有する金型上に配置する。次に、金型の穿孔を通じて金型内に真空を引き、プラスチックから金型の輪郭に一致する構造体を成形する。そして、成形されたプラスチックシートを、成形可能な状態よりも低い温度まで冷却し、その後、成形された部品を金型から取り出す。
【００２２】
本発明の口腔ケアパックの製造に使用することができるプラスチックシートには当該技術分野で既知の従来の適切なプラスチックシート材料が含まれ、そのようなものとしては、これらに限定されるものではないが、ポリエチレンテレフタラート（ＰＥＴＥ）、ポリ塩化ビニル（ＰＶＣ）、ポリプロピレン（ＰＰ）、及びポリスチレン（ＰＳ）、ポリウレタン（ＰＵ）などが含まれる。プラスチックシート材料の厚さは、口腔ケアパック内に収容された口腔ケアデバイスに対して十分な支持を効果的に提供するのに十分な厚さである。前記厚さは、例えば、約０．２５４ｍｍから約１．５２４ｍｍ（約０．０１０インチから約０．０６０インチ）の範囲であり得る。
【００２３】
また、口腔ケアパックは、望ましくはプラスチック材料製のカバー（cover）を含み得る。前記カバーは、例えばヒートシーリング、圧力シーリング、超音波シーリング、接着剤の適用などの従来のシーリング技術によって、口腔ケアパックに取り付けられる。
【００２４】
個々の口腔ケアパックの製造方法の種類に関わらず、前記複数のパックは、規定の口腔ケア処置サイクル（望ましくは２４時間の処置サイクル）に必要なパック数及びパックの組み合わせのパックに対応している。
【００２５】
これに関して、前記複数のパックには、過酸化水素を含む吸引スワブパック、歯ブラシパック、ノンアルコール口腔洗浄液を含む吸引スワブパック、及び吸引カテーテルが含まれる。歯ブラシバック、カテーテルパック、過酸化水素を含む吸引スワブパック、及びノンアルコール口腔洗浄液を含む吸引スワブパックのパック数の比率は、２：２：４：６である。図１ないし図３を参照して、口腔ケアキットには、望ましくは、少なくとも１つの処置パック２１０が含まれる。処置パック（prep pack）は、処置パックホルダ２２０を用いて口腔ケアキット内の適所に保持される。歯ブラシパックには、吸引歯ブラシ、塗布用スワブ、歯垢防止剤、口腔保湿剤が含まれる。
【００２６】
歯ブラシパックは一般的に、２４時間口腔ケアサイクルにおける開始時と開始から１２時間後に使用される。当該技術分野では既知のように、吸引歯ブラシを使用すると、歯垢を吸引除去することができるので、歯磨きと歯及び口腔組織からの細菌の除去が容易になる。また、吸引歯ブラシを使用すると、細菌の防止及び中和のための歯及び歯肉（歯茎）への歯垢防止剤の供給が容易になる。塗布用スラブは、その一端部に発泡体クッション材を備えたプラスチック製の円筒状チャンバからなり、当該技術分野では既知のように歯肉組織への口腔保湿剤の塗布を可能にする。このことにより、口腔内の湿潤を助け、口腔内の乾燥及びそれに伴う患者の不快感を防止することができる。さらに、塗布用スワブは、歯及び／または歯肉への歯垢防止剤の塗布にも使用することができる。
【００２７】
過酸化水素を含む吸引スワブパックには、吸引スワブ、塗布用スワブ、過酸化水素、及び口腔保湿剤が含まれる。過酸化水素を含む吸引スワブパックは一般的に、２４時間口腔ケアサイクルの開始から４時間後、８時間後、１６時間後及び２０時間後に使用される。吸引スワブの使用は、歯肉からの口腔内デブリ及び分泌物の除去及び吸引を容易にする。吸引スワブの一端部に設けられている柔らかい発泡体スポンジは、口腔粘膜を清浄してきれいにすると共に、口腔粘膜を刺激して血流を良くし、それにより、歯肉を健康に保ち、かつ、細菌が口腔内に侵入して定着する可能性を減少させることができる。同様に、塗布用スワブは、歯肉から分泌物及び歯垢を除去するための歯肉への過酸化水素洗浄液の供給を容易にする。また、塗布用スワブは、口腔内の乾燥及びそれに伴う患者の不快感を防止すべく口腔を湿潤させるための歯肉組織への口腔湿潤剤の供給にも使用され得る。
【００２８】
ノンアルコール口腔洗浄液を含む吸引スワブパックは、過酸化水素を含む吸引スワブと機能が類似している。過酸化水素は殺菌能力が高いため歯肉に安全に塗布できるのは２４時間に４回だけなので、ノンアルコール口腔洗浄液を含む吸引スワブパックは有益であり。過酸化水素の代わりにノンアルコール口腔洗浄液を使用すると、歯肉を痛めたり乾燥させたりすることなく、２４時間の処置サイクル中に、歯肉から分泌物、歯垢及び細菌をさらに６回行うことができる。これに関して、ノンアルコール口腔洗浄液を含む吸引スワブパックは一般的に、２４時間口腔ケア処置サイクルの開始から２、６、１０、１４、１８、２２時間後に使用される。口腔洗浄液はまた、患者及び介護者の両方にとって快適となるように、患者の口臭を消臭するという利点を提供する。
【００２９】
吸引カテーテルパックには、吸引カテーテルが含まれる。吸引カテーテルは、口腔からの分泌物の除去のみならず、口腔咽頭からの分泌物の除去（挿管時の未膨張の気管内カフの上側からの分泌物の除去を含む）をも行うために高効率の吸引を提供する。口腔ケアキットには望ましくは２つの吸引カテーテルパックが含まれており、吸引カテーテルは２４時間の処置サイクル中の任意の時間に必要に応じて使用され得る。
【００３０】
さらに、口腔ケアキットには、１以上の処置パックも含まれる。処置パックには、ヤンカー（Yankauer）器具、吸引ハンドル及びＹ字アダプタが含まれる。ヤンカー器具、吸引ハンドル及びＹ字アダプタ及びそれらを用いた本発明に特に有用な方法は、両方ともHersheyらによる米国特許出願公開第2008/0145815号及び米国特許出願第11/901,119号に説明されている（両特許文献は、この参照によりその全体が本明細書に組み込まれるものとする）。吸引カテーテルパックと同様に、処置パックの構成要素は、口腔からの分泌物の除去を容易にする。処置パックは、２４時間口腔ケアサイクル中の任意の時間に使用され得る。
【００３１】
有利なことに、各口腔ケアパックは個別に包装されている。このことにより、使用前に口腔ケアデバイスが汚染及び二次汚染されることを防止することができる。さらに、２４時間の口腔ケア処置サイクルに必要な数のパックが口腔ケアキットに含まれているので、歯ブラシパック、過酸化水素を含む吸引スワブパック、ノンアルコール口腔洗浄液を含む吸引スワブパックの各々は１度しか使用しないように構成されている。このことにより、汚染された口腔ケアデバイスが再使用されることを防止すると共に、既に完了した治療ステップを誤って繰り返したり、完了する必要があるステップを誤って抜かしたりすることを防止することができる。
【００３２】
上述したように、口腔ケアキットは、口腔ケアパックを保持している複数のウエルに対応する複数の色を含み得る。複数の色は、実質的に矩形の箱体の前部１８０に表示される。すなわち、各ウエル内に配置された複数の口腔ケアパックには、実質的に矩形の箱体の前部における前記ウエルと互いに平行な部分（各ウエルに対応する位置）に表示されている色１８０に対応する色１９０が表示される。例えば、説明のみを目的として、或る特定のウエル内に配置された全ての吸引カテーテルパックのカバーにはオレンジ色が表示され、口腔ケアキットの前部における前記或る特定のウエルと互いに平行な部分（前記或る特定のウエルに対応する位置）にもオレンジ色が表示される。このようにすると、介護者は、口腔ケアキットの前部に表示されている図形等、並びにウエル内に配置された口腔ケアパックのカバーに表示されている図形等を確認することにより、正しい口腔ケアパックを確実に選択することができる。同様に、過酸化水素を含む吸引スワブパック、歯垢防止用口腔洗浄剤を含む歯ブラシパック、ノンアルコール口腔洗浄液含む吸引スワブパックには、互いに異なるまたは同じ色が選択される。さらに、複数の色の代わりにまたは複数の色と共に、英数字を含む他の印も使用され得る。
【００３３】
さらに、口腔ケアキットは、後部に設けた取付手段２００を含み得る。取付手段は、介護者がすぐに使用できるように、口腔ケアキットを適切な位置に保管することを可能にする。取付手段の非限定的な例としては、フック、ループ、フックレセプタクル、ベロクロ（登録商標）、接着剤、またはそれらの組み合わせが挙げられる。
【００３４】
図１及び図４を参照して、口腔ケアキットの別の実施形態が提供される。口腔ケアキットは、実質的に矩形の箱体を含む。前記箱体は、上部２０、下部３０、前部４０、後部５０、第１の側部６０、及び第２の側部７０を有する。口腔ケアキットは、前部４０の長さに沿って形成された、前部４０を上側前部９０及び下側前部１００に二分割するためのミシン目（切り取り線）８０と、第１の側部６０の長さに沿って形成された、第１の側部６０を上側側部１１０及び下側側部１２０に二分割するためのミシン目と、第２の側部７０の長さに沿って形成された、第２の側部７０を上側側部１３０及び下側側部１４０に二分割するためのミシン目とを有する。
【００３５】
この口腔ケアキットは、実質的に矩形の箱体内に収容された複数の口腔ケアパック１７０をさらに含む。複数のパックは、垂直に配向されており、使用順に並べられており、かつ、規定の口腔ケアキット処置サイクルに必要なパック数及びパックの組み合わせに対応している。すなわち、口腔ケアパックは種類毎に固有の色が表示されており、前記固有の色は実質的に矩形の箱体の前部にも表示されている。また、或る特定の口腔ケアパックに表示されている色に対応する色付きの英字、数字または英数字２３０が、実質的に矩形の箱体の後部における前記或る特定の口腔ケアパックと互いに平行な部分（前記或る特定の口腔ケアパックに対応する位置）に表示されている。
【００３６】
例えば、説明のみを目的として、実質的に矩形の箱体の前部には、歯ブラシパックを示す図形等が赤色で表示されている。歯ブラシパックは一般的に、２４時間口腔ケア処置サイクルにおける開始時及び開始から１２時間後に使用されるので（また、各サイクルでは一般的に、２時間毎に異なるパックを使用するので）、最初に使用される口腔ケアパックを示す「赤色」の１番と、２４時間口腔ケア処置サイクルにおける開始から１２時間後に使用すべき２番目の歯ブラシパックを示す「赤色」の６番が後部に表示される。このように並べると、間違った口腔ケアパックを使用したり、口腔ケアパックを間違った順番で使用したりすることを減少させることができる。口腔ケア処置サイクルで使用される他の種類の口腔ケアパックも同様に使用順に並べられる。
【図１】
0005559781.tif 000002
【図２】
0005559781.tif 000003
【図３】
0005559781.tif 000004
【図４】
0005559781.tif 000005